(57)【要約】【課題】タッチパネル式の表示操作部を有した共同玄関機において、入力中の部屋番号等が見破られ難くする。【解決手段】テンキー１１は、表示操作部１０におけるテンキー表示区画１０ａ内に表示され、表示操作部１０おけるテンキー表示区画１０ａの表示位置を予め準備したプログラムに従って自動的に設定変更する表示設定部１２と、0訪問者を検知したときに、表示操作部１０を初期化して、表示設定部１２によって指示された表示位置にテンキー表示区画１０ａを表示する表示制御部１３とを備える。【選択図】図１
2015056853.tif 000002
【特許請求の範囲】
【請求項１】
タッチパネル式の表示操作部にテンキーを表示して部屋番号等の操作入力を受け付ける集合用インターホン装置の共同玄関機において、
前記テンキーは、前記表示操作部におけるテンキー表示区画内に表示され、
前記表示操作部おける前記テンキー表示区画の表示位置を予め準備したプログラムに従って自動的に設定変更する表示設定部と、
訪問者を検知したときに、前記表示操作部を初期化して、前記表示設定部によって指示された表示位置に前記テンキー表示区画を表示する表示制御部とを備えた共同玄関機。
【請求項２】
請求項１において、
前記表示設定部は、前記テンキー表示区画の表示位置の変更に加えて、該区画の１以上の行を、左又は右にシフトさせて、前記テンキーを表示させることを特徴とする共同玄関機。
【請求項３】
請求項１又は２において、
前記表示設定部は、前記テンキー表示区画の表示位置と共に、ガイダンスが表示されるガイダンス表示区画の表示位置を設定変更し、
前記表示制御部は、
訪問者を検知したときに、前記表示操作部を初期化して、前記表示設定部によって指示された表示位置に前記テンキー表示区画及び前記ガイダンス表示区画を表示することを特徴とする共同玄関機。
【請求項４】
請求項１−３のいずれか１項において、
前記表示制御部は、前記表示操作部に誤動作防止用キーを表示することを特徴とする共同玄関機。
【請求項５】
タッチパネル式の表示操作部にテンキーを表示して部屋番号等の操作入力を受け付ける集合用インターホン装置の共同玄関機において、
前記表示操作部は、前記テンキーを表示するテンキー表示区画が設定されており、
前記テンキー表示区画内でのテンキーの配列順序を予め準備したプログラムに従って自動的に設定変更する表示設定部と、
訪問者を検知したときに、前記表示操作部を初期化して、前記表示設定部によって指示された配列順序で前記テンキーを前記テンキー表示区画内に表示する表示制御部と備えた共同玄関機。
【発明の詳細な説明】
【技術分野】
【０００１】
本発明は、集合用インターホン装置を構成し、タッチパネル式の表示操作部にテンキーを表示して部屋番号等の操作入力を受け付ける共同玄関機の改良に関する。
【背景技術】
【０００２】
前記のような共同玄関機に係る従来技術として、例えば次の特許文献１がある。この文献は、タッチパネルからなる表示操作画面を備えたロビーインターホンにおいて、その操作画面に、各部屋呼出スイッチ、管理人室呼出スイッチ等のセレクタスイッチを組み込んだメニュー画面を表示することを提案している。ここに各部屋呼出スイッチが押されるとテンキーや呼出キーが所定の位置に表示された操作画面が呼び出される。その操作画面でテンキーにより部屋番号を指定した呼出操作がなされると、指定された部屋番号の住戸に設置されている住戸機が呼び出され、共同玄関機との間で呼出通話等が行われる。
【先行技術文献】
【特許文献】
【０００３】
【特許文献１】特開平06-339144号公報
【発明の概要】
【発明が解決しようとする課題】
【０００４】
ところで近時、共同玄関機では、暗証番号の入力装置等と同様に、入力中の部屋番号等が見破られ難くすることが望まれている。しかしながら特許文献１に記載されているような構成では、呼出通話をするための操作画面において、テンキーが常に一定の位置に表示されるので、表示操作部の汚れ具合等から、入力した部屋番号等が見破られ易いという問題がある。
【０００５】
そこで本発明は、タッチパネル式の表示操作部を有した共同玄関機において、入力した部屋番号等が見破られ難くすることを目的とする。
【課題を解決するための手段】
【０００６】
本発明は、タッチパネル式の表示操作部にテンキーを表示して部屋番号等の操作入力を受け付ける集合用インターホン装置の共同玄関機であって、前記テンキーは、前記表示操作部におけるテンキー表示区画内に表示され、共同玄関機は、前記表示操作部おける前記テンキー表示区画の表示位置を予め準備したプログラムに従って自動的に設定変更する表示設定部と、訪問者を検知したときに、前記表示操作部を初期化して、前記表示設定部によって指示された表示位置に前記テンキー表示区画を表示する表示制御部とを備える。
【０００７】
ここにテンキー表示区画の表示位置は、プログラムによってランダムに変更されるというのが基本であるが、それに限らず、プログラムによって所定の軌道に沿って移動されてもよい。要は、表示操作部が初期化された際に、テンキー表示区画の表示位置が容易に推測できなければよい。
【０００８】
前記表示設定部は、前記テンキー表示区画の位置に加えて、該区画の１以上の行を、左又は右にシフトさせて、前記テンキーを表示させるようにしてもよい。
【０００９】
前記表示設定部は、前記テンキー表示区画の表示位置と共に、ガイダンスが表示されるガイダンス表示区画の表示位置を設定変更し、前記表示制御部は、訪問者を検知したときに、前記表示操作部を初期化して、前記表示設定部によって指示された表示位置に前記テンキー表示区画及び前記ガイダンス表示区画を表示するようにしてもよい。
【００１０】
前記表示制御部は、前記表示操作部に誤動作防止用キーを表示するようにしてもよい。
【００１１】
また本発明は、タッチパネル式の表示操作部にテンキーを表示して部屋番号等の操作入力を受け付ける集合用インターホン装置の共同玄関機であって、前記表示操作部は、前記テンキーを表示するテンキー表示区画が設定されており、前記テンキー表示区画内でのテンキーの配列順序を予め準備したプログラムに従って自動的に設定変更する表示設定部と、
訪問者を検知したときに、前記表示操作部を初期化して、前記表示設定部によって指示された配列順序で前記テンキーを前記テンキー表示区画内に表示する表示制御部と備える。
【発明の効果】
【００１２】
表示操作部おけるテンキー表示区画の表示位置が、予め準備したプログラムに従って自動的に設定変更される構成では、テンキー表示区画が定期的に移動されるので、テンキーの全ての位置が変わることになる。その結果、入力した部屋番号等が見破られ難くなる。また表示操作部のテンキー部分のみが繰り返しタッチされることが防止されるので、表示操作部の寿命も延びる。
【００１３】
テンキー表示区画内におけるテンキーの配列順序が、予め準備したプログラムに従って自動的に設定変更される構成では、少なくともテンキー中２個以上のキーの位置が定期的に入れ替えられるので、入力した部屋番号等が見破られ難くなる。
【図面の簡単な説明】
【００１４】
【図１】（ａ）は第１の本発明に係る共同玄関機の基本的なブロック図、（ｂ）は（ａ）の状態からテンキー表示区画の位置が設定変更された例を示す図である。
【図２】図１（ａ）に示した共同玄関機を備えた集合用インターホン装置の一例を示すシステム図である。
【図３】図１（ａ）に示した共同玄関機の本発明に係る基本動作の一例を示すフローチャートである。
【図４】（ａ）、（ｂ）はいずれも表示操作部におけるテンキー表示の他例である。
【図５】（ａ）、（ｂ）はいずれも表示操作部におけるテンキー表示の他例である。
【図６】（ａ）は第２の本発明に係る共同玄関機の基本的なブロック図、（ｂ）、（ｃ）は、（ａ）の状態からテンキー表示区画の位置が設定変更された例を示す図である。
【発明を実施するための形態】
【００１５】
本発明は、マンション等に設置される集合用インターホン装置の共同玄関機、特にタッチパネル式の表示操作部を有する共同玄関機に係るものである。以下、第１の本発明の実施形態の一例を図に従って説明する。
【００１６】
図１（ａ）は第１の本発明に係る共同玄関機の基本的なブロック図である。
共同玄関機１は、表示操作部１０を構成するタッチパネルを有しており、テンキー１１は、表示操作部１０におけるテンキー表示区画１０ａ内に所定の配列順序で表示されるようになっている。そして第１の本発明に関連して、共同玄関機１は、表示操作部１０におけるテンキー表示区画１０ａの表示位置を予め準備したプログラムに従って自動的に設定変更する表示設定部１２を備える。その設定変更を表示操作部１０に反映させるため、共同玄関機１は、訪問者を検知したときに、表示操作部１０ａを初期化して、表示設定部１２によって指示された表示位置にテンキー表示区画１０ａを表示する表示制御部１３を備えている。訪問者の検知は、カメラ１５ａによって行ってもよいし、図示しない人感センサによって行ってもよいし、消灯している表示操作部１０へのタッチによって行ってもよい。
【００１７】
タッチパネルは、抵抗膜方式のものや静電容量方式のものが広く知られているが、いずれのものでも使用できる。なお抵抗膜方式は、パネルの表面に２枚の透明電極膜を僅かな隙間を隔てて配置し、パネルが押されるとその電極膜同士が接触して電気が流れることによりタッチを検出する仕組みである。一方静電容量方式は、パネルの表面に１枚の透明電極膜を配置し、パネルに指が触れた際の静電容量の変化を検知する仕組みである。
【００１８】
他の構成要素、すなわち表示操作部１０に対する操作を検知する操作検知部１４、カメラ１５ａを有する映像処理部１５、スピーカ１６ａ及びマイク１６ｂを有する音声処理部１６は、従来の共同玄関機と基本的に共通する。なお通信部１７は、集合用インターホン装置の制御装置との間で制御信号や音声信号を伝送するための要素である。
【００１９】
テンキー表示区画１０ａは、その内にテンキー１１すなわち「１」−「０」キー、「＊」キー、「消」キーが表示される区画であり、図１（ａ）では全体として矩形になっている。テンキー表示区画１０ａの基準座標はその領域の左上コーナーに置いてもよい。なおテンキー１１はテンキー表示区画１０ａ内に所定順序、例えば昇順で横方向に配列表示される。
【００２０】
表示設定部１２は、テンキー表示区画１０ａ、ガイダンス表示区画１０ｂ、呼出キー表示区画１０ｃの表示位置の値（基準座標）を保持しており、予め準備したプログラムに従ってテンキー表示区画１０ａの表示位置を自動的に変更する。なお呼出キー表示区画１０ｃは、その内に「呼出」キー１９が表示される区画であり、ガイダンス表示区画１０ｂは、操作ガイダンスや入力された部屋番号等が表示される区画である。これらの区画の枠は可視でも不可視でもよい。
【００２１】
テンキー表示区画１０ａの表示位置は、プログラムによってランダムに変更すというのが基本であるが、それに限らず、プログラムによって所定の軌道に沿って移動してもよい。要は、表示操作部１０が初期化された際に、テンキー表示区画１０ａの表示位置が部外者によって容易に推測できなければよい。例えば、訪問者を検出していない間、ある種のスクリーンセーバーのように、表示操作部１０上でテンキー表示区画１０ａ（つまりテンキー全体）をランダムな軌道で継続的に移動させておき、訪問者を検出した時点でその移動を止めるような形態であってもよい。
【００２２】
テンキー表示区画１０ａ等の表示位置を設定変更するタイミングは、定期的なものにするとよい。例えば、部屋番号を指定した呼出操作等、訪問者あるいは居住者による一連の操作が完了される毎がまず考えられるが、所定時間が経過する毎としても、毎日決まった時刻になる毎としてもよい。
【００２３】
表示設定部１２によってテンキー表示区画１０ａの表示位置が変更された場合、その変更が表示操作部１０の表示に反映されるタイミングは、表示制御部１３が訪問者を検知して表示操作部１０を初期化するときに限定するとよい。換言すれば、訪問者が表示操作部１０を操作している間は、テンキー１１の位置変更を禁止するとよい。
【００２４】
これはテンキー表示区画１０ａの基準座標を表示設定部１２で保持、あるいは設定変更して保持し、表示制御部１３は表示操作部１０の初期化の際に、それらの値を読み込む構成とすれば簡単に実現できる。なお表示操作部１０の初期化は、表示操作部１０を点灯させ、表示設定部１２によって指示された表示位置にテンキー表示区画１０ａやガイダンス表示区画１０ｂを再表示する処理を云う。その処理では更に、テンキー表示区画１０ａ内にテンキー１１を表示し、ガイダンス表示区画１０ｂ内にガイダンス表示枠１８を表示する。
【００２５】
図１（ｂ）は、図１（ａ）の状態からテンキー表示区画の表示位置が設定変更された場合の一例を示している。ここでは、テンキー表示区画１０ａの表示位置が表示操作部１０の右上部分から左下部分に設定変更されているが、テンキー１１の配列順序は保たれている。この場合、テンキー中の目的のキーがどこにあるか分かり難いという問題も発生しない。
【００２６】
なお表示制御部１３は、表示操作部１０にテンキー表示区画１０ａを表示した後、そのテンキー表示区画１０ａ内で、どのような配列順序でテンキー１１を表示してもよい。前記のように、テンキー１１の配列順序は保つようにしてもよいし、所定のルールに従って適宜変更してもよい。
【００２７】
このように、表示操作部おけるテンキー表示区画の表示位置が、予め準備したプログラムに従って自動的に設定変更される構成では、テンキー表示区画が定期的に移動されるので、テンキーの全ての位置が変わることになる。その結果、入力した部屋番号等が見破られ難くなる。また表示操作部のテンキー部分のみが繰り返しタッチされることが防止されるので、表示操作部の寿命も延びる。
【００２８】
図２は、図１（ａ）に示した共同玄関機を備えた集合用インターホン装置の基本的なシステム図である。
【００２９】
インターホン装置は、そのような共同玄関機１と、集合住宅の各住戸に設置される住戸機２と、管理室に設置される管理室機３と、これらの間での信号伝送を制御する制御装置４とを備えている。住戸機２の各々はドアホン２ａを備えている。共同玄関扉５は自動扉として構成されており、扉の自動開閉装置５ａは制御装置４に接続されている。
【００３０】
共同玄関機１は、その正面に表示操作部１０、カメラ１５ａ、スピーカ１６ａのための通音孔１６ｃ、マイク１６ｂのための集音孔１６ｄ等が設けられている。
【００３１】
共同玄関機１の基本動作は従来と同様であり、訪問者による住戸番号を指定した呼出操作、あるいは居住者による共同玄関扉５を開くための暗証番号の入力操作を受け付ける。
【００３２】
すなわち呼出操作として、共同玄関機１で例えば「２」、「０」、「１」、「１」、「呼出」の順番でテンキー１１が操作されると、２階１１号室の住戸機２が呼び出される。呼び出された住戸機２は呼出音を鳴動させるとともに、住戸機２の図示しないモニタ画面には、共同玄関機１のカメラ１５ａが撮影している訪問者の映像が映される。そして住戸機２で応答操作がなされると、共同玄関機１と住戸機２との間で通話路が形成される。更に住戸機２で解錠操作がなされると、共同玄関扉５が一定時間自動的に開放される。
【００３３】
また暗証番号の入力操作として、共同玄関機１で例えば「＊」、「１」、「８」、「１」、「９」の順番でテンキー１１が操作されると、制御装置４は、その番号が暗証番号の一つとして予め登録されているか否かを判断する。その番号が登録されて入れば、共同玄関扉５が一定時間自動的に開放されるが、登録されていなければ、共同玄関機１の表示操作部１０にエラーメッセージが表示され共同玄関扉５は開放されない。なお、呼出操作や暗証番号の入力操作によって入力された数字等は、ガイダンス表示枠１０内に逐次表示される。
【００３４】
図３は、図１（ａ）に示した共同玄関機の基本動作の一例を示すフローチャートである。
【００３５】
ステップ１００は、表示制御部１３が訪問者の有無を判断する処理である。訪問者がなければこの処理を繰り返し、訪問者があればステップ１０１に移動する。
【００３６】
ステップ１０１は表示操作部１０を点灯させ初期化させる処理である。ステップ１０２は、共同玄関機１の操作受付を所定時間に制限するためにタイマを起動させる処理である。
【００３７】
ステップ１０３は、表示設定部１２からテンキー表示区画１０ａの基準座標を読み出して操作表示部１０にテンキー表示区画１０ａを表示し、その区画内にテンキー１１を配列表示する処理である。なおこのフローチャートでは、ガイダンス表示区画１０ｂにガイダンス表示枠１８を表示する処理や、呼出キー表示区画１０ｃに「呼出」キー１９を表示する処理は示していないが、これらはステップ１０２と共に実行すればよい。
【００３８】
ステップ１０４は、テンキー１１の操作を検知する処理である。ステップ１０５は、ステップ１０４でテンキー１１が操作された場合に、そのキーの番号をガイダンス表示枠１８に表示する処理である。ステップ１０４でテンキー１１が操作されていない場合は、ステップ１０６に分岐する。
【００３９】
ステップ１０６は、ステップ１０２で起動されたタイマのタイムアップ、つまり共同玄関機１の操作受付のための時間が経過したか否かを判断する処理である。ここで所定時間が経過していなければステップ１０４に戻る。
【００４０】
ステップ１０７は、ステップ１０６で所定時間が経過したと判断したときに、表示操作部１０を消灯させる処理である。
【００４１】
ステップ１０８は、表示設定部１２が、予め準備したプログラムに従ってテンキー表示区画１０ａの表示位置をランダムに設定変更する処理である。この処理によってテンキー表示区画１０ａの表示位置が設定変更された場合、その変更が反映されるタイミングは、次回のステップ１００で訪問者が検知された後、ステップ１０３で表示操作部１０が初期化される際である。
【００４２】
次いで実施形態の他例を図に従って説明する。
図４（ａ）−（ｂ）は、表示操作部におけるテンキー表示の他例である。表示操作部１０は、図１（ａ）−（ｂ）と同様に、テンキー１１、ガイダンス表示枠１８、「呼出」キー１９が表示されている。ここに不図示の構成要素は図１（ａ）の場合と同様なので説明を省略する。
【００４３】
この例では、表示設定部１２は、テンキー表示区画１０ａの表示位置の変更に加えて、該区画の１以上の行を選択して左又は右にシフトさせて、テンキー１１を表示させるようにしている。なおここでテンキー表示区画１０ａの基本レイアウトは、４行３列の行列状の領域であり、その行列中の行が左又は右にシフトされる。また行の選択及び、選択した行の左右へのシフト幅はテンキー表示区画１０ａが表示操作部１０の領域外にはみ出さなければ、ランダムとしてよい。
【００４４】
図４（ａ）の状態では、テンキー表示区画１０ａの左上コーナーを基準座標としたとき、第２行が左に１キー分だけシフトされ、第３行が左に３キー分だけシフトされ、第４行が左に２キー分だけシフトされている。一方図４（ｂ）は、図４（ａ）の状態からテンキー表示区画１０ａの表示位置が左下方向に設定変更され、更に、第２行が右の１キー分だけシフトされ、第３行が左に１キー分だけシフトされ、第４行が左に２キー分だけシフトされている。なお基準レイアウトから選択した１以上の行を左又は右にずらしたときでも、テンキー表示区画１０ａ内でのテンキー１１の配列順序は変更せずに昇順のままとしている。また「呼出」キー１９は、テンキー表示区画１０ａに隣接し、かつ表示操作部１０の領域の左右中央に配置されている。
【００４５】
このようにテンキー表示区画の表示位置の変更だけでなく、更にその基本レイアウトからランダムに選択した１以上の行を左又は右にシフトしてテンキーを表示させる構成とすれば、テンキー各々の位置関係が行間で変わることになる。そのため入力中の部屋番号等が更に見破られ難くなる。このとき、表示操作部として、左右の視野角が制限されたタッチパネルを用いれば、斜め後方から覗き込まれても、テンキーが読み取れないので、セキュリティが更に向上する。なおこの構成で複数の行を左又は右にシフトしても、テンキーの配列順序は保たれているので、テンキーを操作する際に、どの数字がどの場所にあるか迷うことがなく、スムーズに操作できる。なお、行でなく列を上下にシフトするようにしてもよい。
【００４６】
図５（ａ）−（ｂ）は、表示操作部におけるテンキー表示の他例を更に示すものである。表示操作部１０は、図１（ａ）−（ｂ）と同様に、テンキー１１、ガイダンス表示枠１８、「呼出」キー１９が表示されている。ここに不図示の構成要素は図１（ａ）の場合と同様なので説明を省略する。
【００４７】
この例では、表示設定部１２は、予め準備したプログラムに従って、テンキー表示区画１０ａの表示位置と共に、ガイダンス等が表示されるガイダンス表示区画１０ｂの表示位置を自動的に設定変更するようにしている。そして表示制御部１３は、訪問者を検知したときに表示操作部１０を初期化して、表示設定部１２によって指示された表示位置にテンキー表示区画１０ａ、ガイダンス表示区画１０ｂを表示するようにしている。テンキー１１やガイダンス表示枠１８はそれらの区画内に表示する。
【００４８】
より詳細には、表示設定部１２は、テンキー表示区画１０ａの表示位置を設定変更する際、テンキー表示区画１０ａがガイダンス表示区画１０ｂに重ならないように、ガイダンス表示区画１０ｂの表示位置も変更する。
【００４９】
このようにすれば、テンキー表示区画の位置変更が可能な範囲がより広くなるので、タッチされる部分も分散され、タッチパネルの寿命を更に延ばすことができる。なおこのとき表示設定部は、図４（ａ）−（ｂ）に示したように、テンキー表示区画の基本レイアウトから選択した１以上の行を、左又は右にシフトしてもよい。 
【００５０】
またこの例では、表示制御部１３は、表示操作部１０に誤動作防止用キーとして「清掃」キー２０を表示させるようにしている。「清掃」キー２０は共同玄関機１を清掃モードにするためのキーであって、「清掃」キー表示区画１０ｄ内に表示される。共同玄関機１は清掃モードに移行すると、「清掃」キー２０以外の操作に対して反応しなくなる。清掃モードは、「清掃」キー２０が再度操作されると解除されるようにするとよい。
【００５１】
このような誤動作防止用キーを設ければ、共同玄関機を清掃する際に、誤って住戸の呼出操作がなされることが防止できる。なお誤動作防止用キーは所定時間以上連続して操作されていなければ反応しないようにすれば、来訪者や居住者が誤って誤動作防止用キーに触れてしまい、テンキー等が操作不能になるおそれもなくなる。
【００５２】
なおそのような誤動作防止用キーを設けるかわりに、テンキーが所定の順番で操作されたとき、例えば「＊」、「１」、「２」、「３」、「４」、「＊」の順に操作されたときに、共同玄関機が清掃モードに移行するようにしてもよい。この場合、例えば「＊」キーが所定時間連続してタッチされたときに清掃モードが解除されるようにしてもよい。
【００５３】
図６（ａ）は第２の本発明に係る共同玄関機の基本的なブロック図である。図１（ａ）に示した共同玄関機に共通する構成要素には同一の参照符号を付けて説明を省略する。
【００５４】
共同玄関機１の表示操作部１０には、テンキー１１を表示するテンキー表示区画１０ａが設定されている。テンキー表示区画１０ａの位置は基本的に不変であることを想定している。第２の本発明に関連して、共同玄関１は、テンキー表示区画１０ａ内でのテンキー１１の配列順序を予め準備したプログラムに従って自動的に設定変更する表示設定部１２を備えている。その設定変更を表示操作部１０に反映させるため、共同玄関機１は、訪問者を検知したときに、表示操作部１０を初期化して、表示設定部１２によって指示された配列順序でテンキー１１をテンキー表示区画１０ａ内に表示する表示制御部１３を備える。訪問者の検知は、カメラ１５ａによって行ってもよいし、図示しない人感センサによって行ってもよいし、消灯している表示操作部１０へのタッチによって行ってもよい。
【００５５】
テンキー表示区画１０ａは、全体として矩形になっており、図６（ａ）では、テンキー表示区画１０ａ内にテンキー１１が横方向昇順に配列されている。
【００５６】
表示設定部１２は、テンキー表示区画１０ａ内でのテンキー１１の配列順序を自動的に設定変更するが、その変更方法は特に制限されない。例えば図６（ａ）に示しているテンキーの横方向の配列と、図６（ｂ）に示している縦方向の配列とを交互に入れ替えるようにしてもよい。あるいは図６（ｃ）に示しているように、テンキー１１中の２キー以上の配置をランダムに入れ替えるようにしてもよい。
【００５７】
表示設定部１２がテンキー１１の配列順序を設定変更するタイミング、及び表示制御部１３がその設定変更を表示操作部１０に反映させるタイミングは、第１の本発明の場合と同様である。
【００５８】
このようにテンキー表示区画内におけるテンキーの配列順序が、予め準備したプログラムに従って自動的に設定変更される構成では、少なくともテンキー中２個以上のキーの位置が定期的に入れ替えられるので、入力中の部屋番号等が見破られ難くなる。
【符号の説明】
【００５９】
１      住戸機
１０    表示操作部
１０ａ  テンキー表示区画
１０ｂ  ガイダンス表示区画
１１    テンキー
１２    表示設定部
１３    表示制御部
１８    ガイダンス表示枠
２０    誤動作防止用キー
【図１】
2015056853.tif 000003
【図２】
2015056853.tif 000004
【図３】
2015056853.tif 000005
【図４】
2015056853.tif 000006
【図５】
2015056853.tif 000007
【図６】
2015056853.tif 000008